(57)【要約】【課題】使用する指を特定せず、指の位置にも関係なく作動する複合スイッチを実現する。【解決手段】中空の枠体１１と、その底面両端に置かれた２個の押しボタンスイッチ１３ａ，１３ｂと、その上方に挿入され、上面に突出部１４１を有する揺動部材１４と、この突出部１４１に取り付けられた押し板１７とからなり、揺動部材１４の側面には枠体１１の上面に係止される係止部１４２を設けて複合スイッチ１を構成する。したがって、押し板のいずれの部分を押してもスイッチ操作が可能である。【選択図】図１
2010187935.tif 000002
【特許請求の範囲】
【請求項１】
縦と横との長さが異なる中空状の枠体と、この枠体を横長に置いたときの底面の両端近くに配置された２個の押しボタンスイッチと、この押しボタンスイッチの上方に、ばね部材を介して昇降可能に前記枠体内に挿入され、その上面に前記枠体上面の開口を貫通して前記枠体よりも突出し、その突出した部分に取り付けられた細長い板状の押し板を有する揺動部材と、前記揺動部材の前記横長方向における両端部に形成されて、前記枠体の上面側の部分に係合して前記揺動部材の上昇を拘束する係止部とを備え、前記押し板のいずれの部分を押しても前記の押しボタンスイッチの１個または２個が作動するように構成されていることを特徴とする複合スイッチ。
【請求項２】
前記揺動部材の下面の前記押しボタンスイッチに対応する位置に下方に突出する突起部を有し、この突起部が前記押しボタンスイッチを押すように構成されていることを特徴とする請求項１に記載の複合スイッチ。
【請求項３】
前記ばね部材は、その中央付近が前記枠体に固定された板ばねであることを特徴する請求項１または２に記載の複合スイッチ。
【請求項４】
前記押し板の長さが、少なくとも人間の指の太さ３本分の長さであることを特徴とする請求項１ないし３のいずれかに記載の複合スイッチ。
【請求項５】
片手で握って保持するホルダ部と、このホルダ部の頭部に着脱自在に取り付けられたピンセットとから構成され、前記ホルダ部の握り部分に請求項１ないし４のいずれかに記載の複合スイッチを備えるハンディ型電気メス。
【発明の詳細な説明】
【技術分野】
【０００１】
本発明は、手で握って使用する電気器具等に好適な複合スイッチ、およびこれを使用したハンディ型電気メスに関するものである。
【背景技術】
【０００２】
本体またはホルダ部を手で握り、タイミングを見て適宜電流を入れたり切ったりして使用する電気器具がいろいろある。器具やワークを保持するのに両手が必要なスポット溶接機などの場合は、電流の入り切りを足踏みスイッチで行うのが普通であるが、もっと小型の機器の場合、たとえば引き金式のスイッチや、握りしめるタイプのグリップスイッチが使用されることもある。
【０００３】
グリップ部にスイッチを設ける場合、使用者の好みや癖によって使用する指が異なり、スイッチの位置が一義的に定まらないという問題がある。
【０００４】
近年開発され、医療分野で需要が高まっている電気メスは、一種の手術器具であるが、その一例が特許文献１に記載されている。図６によりこれを簡単に説明する。
【０００５】
図６は、バイポーラ形バッテリー式手術用ピンセットで、電気メスとよばれるもののひとつである。符号３はピンセットで、２枚の板状部材は互いに電気的に絶縁されており、先端部分３１ａ，３１ｂは電極、符号５１はバッテリー、符号５２は駆動部、符号６ａ，６ｂはスイッチで、符号６ａはＣＵＴ（切開）スイッチ、符号６ｂはＣＯＡＧ（凝固、ｃｏａｇｕｌａｔｅ）スイッチである。術者が切開、あるいは凝固したい組織をピンセット先端の電極６ａ，６ｂで挟んだ状態でスイッチ６ａまたはスイッチ６ｂを操作して通電させることにより、電極が接触している組織を切開、あるいは凝固させることができる。
【先行技術文献】
【特許文献】
【０００６】
【特許文献１】特開２０００−２６２５３３号公報
【発明の概要】
【発明が解決しようとする課題】
【０００７】
ところで、前記特許文献１ならびに図６から明らかなように、この電気メスにおいては、術者は中指、薬指、小指の３本の指でピンセットを握り、人指し指と親指との２本の指で、組織を挟む動作と、スイッチの操作の双方を行わなければならない。
【０００８】
人間の手の５本の指のうち、人指し指と親指の２本は撓骨神経に支配され、中指、薬指、小指の３本は尺骨神経の支配下にある。撓骨神経と尺骨神経とは互いに独立した別個の神経であるから、きわめてデリケートな外科手術等においてはピンセットの挟む動作と、スイッチのオン・オフの操作とは別個の神経系統に委ねることが好ましい。
【０００９】
本発明は、電気メスにおけるスイッチ操作を中指以下の尺骨神経系の指に委ねるようにしてピンセットの微妙な操作を可能とするとともに、スイッチ操作は、中指以下の３本の指のいずれを用いてもよく、かつ手の大きさや指の寸法等の個人差にも対応できるようにした複合スイッチ、ならびにこれを使用した電気メス等の精密電気器具を実現することを目的とする。
【課題を解決するための手段】
【００１０】
請求項１に記載の本発明は、縦と横との長さが異なる中空状の枠体と、この枠体を横長に置いたときの底面の両端近くに配置された２個の押しボタンスイッチと、この押しボタンスイッチの上方に、ばね部材を介して昇降可能に前記枠体内に挿入され、その上面に前記枠体上面の開口を貫通して前記枠体よりも突出し、その突出した部分に取り付けられた細長い板状の押し板を有する揺動部材と、前記揺動部材の前記横長方向における両端部に形成されて、前記枠体の上面側の部分に係合して前記揺動部材の上昇を拘束する係止部とを備え、前記押し板のいずれの部分を押しても前記の押しボタンスイッチの１個または２個が作動するように構成されていることを特徴とするものである。
【００１１】
請求項２に記載の本発明は、請求項１の発明において、前記揺動部材の下面の前記押しボタンスイッチに対応する位置に下方に突出する突起部を有し、この突起部が前記押しボタンスイッチを押すように構成されていることを特徴とする複合スイッチである。
【００１２】
請求項３に記載の本発明は、請求項１または２の発明において、前記ばね部材が、中央付近を前記枠体に固定された板ばねであることを特徴とする複合スイッチである。
【００１３】
請求項４に記載の本発明は、請求項１ないし３のいずれかの発明において、前記押し板の長さが、少なくとも人間の指の太さ３本分の長さであることを特徴とする複合スイッチである。
【００１４】
そして請求項５に記載の本発明は、請求項１ないし４のいずれかの発明において、片手で握って保持するホルダ部と、このホルダ部の頭部に着脱自在に取り付けられたピンセットとから構成され、前記ホルダ部の握り部分に複合スイッチを備えるハンディ型電気メスである。
【発明の効果】
【００１５】
本発明の複合スイッチは、押し板に接触している３本の指のいずれを用いても操作が可能である。また、これを電気メスに使用すれば、挟む動作と、電源のオン・オフの操作とを別個の神経系統に属する指で行うことができるから、操作精度が甚だしく向上するという、すぐれた効果を奏する。
【図面の簡単な説明】
【００１６】
【図１】本発明の複合スイッチを示す説明図である。
【図２】図１に示す複合スイッチの作動状況を説明する概念図である。
【図３】実施例の複合スイッチを示す正面図である。
【図４】実施例の複合スイッチを分解して示す斜視図である。
【図５】実施例の電気メスを示す斜視図である。
【図６】従来の技術を示す電気メスの斜視図である。
【発明を実施するための形態】
【００１７】
本発明の複合スイッチの作動機構を図面により説明する。
【００１８】
図１は本発明の複合スイッチ１を示す説明図で、符号１１は直方体状で中空の枠体、符号１３ａ，１３ｂはこの枠体を横長に置いたときの底面の両端近くに配置された２個の押しボタンスイッチ、符号１４は揺動部材で、揺動部材１４はこの押しボタンスイッチ１３ａ，１３ｂの上方に、符号１５のばね部材を介して昇降可能に前記枠体１１内に挿入されている。揺動部材１４はその上面に前記枠体１１上面の開口１１１を貫通して前記枠体１１よりも突出する突出部１４１を有し、この揺動部材１４の前記突出部１４１には細長い板状の押し板１７が取り付けられている。さらに、前記揺動部材１４の側面に前記枠体１１の上面に係止される係止部１４２が形成されている。特に図示しないが、２個の押しボタンスイッチ１３ａ，１３ｂはいずれが作動しても回路が閉となるよう、ＯＲ回路で構成される。
【００１９】
押し板１７は前記したように細長い板状なので、左端Ａ、中央付近Ｂ、右端Ｃのいずれの箇所をも押すことが可能である。図１に示す複合スイッチの作動状況を、図２により説明する。
【００２０】
図２（ａ）は左端Ａを押した場合である。押し板１７と一体の揺動部材１４の左端が押し下げられるから、左側の押しボタンスイッチ１３ａが押され、スイッチが作動させられる。
【００２１】
図２（ｂ）に示すように中央付近Ｂを押すと、揺動部材１４はほぼ水平姿勢のまま下降するので、左右の押しボタンスイッチ１３ａ，１３ｂの双方が押され、スイッチが作動させられる。
【００２２】
図２（ｃ）に示すように右端Ｃを押すと、揺動部材１４は右に傾いて下降し、右側の押しボタンスイッチ１３ｂが押され、スイッチが作動させられる。
【００２３】
揺動部材１４の側面には、前記したように係止部１４２が形成されているので、揺動部材１４が傾いて押し下げられたときに押されない側が必要以上に跳ね上がることがなく、押された側が有効に下部の押しボタンスイッチを押し、スイッチが作動させられるのである。
【実施例１】
【００２４】
本発明の第１の実施例として、複合スイッチの一例を説明する。
【００２５】
図３は実施例の複合スイッチを示す正面図、図４はこれを分解して示す斜視図で、符号はこれまでに説明したものの他、符号１２は枠体１１の底面に置かれた台板、符号１６は揺動部材１４の突出部１４１に重ねて取り付けられた補助板、符号１４３は揺動部材１４の下面に、押しボタンスイッチに対応する位置に下方に突出する突起部である。
【００２６】
押し板１７は直接突出部１４１に取り付けてもよいが、取り付けねじの露出を避ける等の理由でこのように補助板１６を使用し、押し板１７をフック等で係止させて取り付けてもよい。
【００２７】
押し板１７は、中指以下の３本の指のいずれかを用いることを前提とすれば、少なくとも人間の指の太さ３本分の長さ、具体的には５０ｍｍ以上が必要である。押し板１７は補助板１６以下のスイッチ本体とは別部材としてあるので、長さは自由に決定できる。
【００２８】
この実施例では、ばね部材１５は板ばねであるが、要するに押されない状態において揺動部材１４を上方に付勢していればよいので、ばねの材質、種類は問わない。ゴム、スポンジ等も使用できる。
【実施例２】
【００２９】
本発明の第２の実施例は、本発明の複合スイッチを使用した電気メスである。
【００３０】
図５はこの実施例の電気メスを示す斜視図で、符号１は複合スイッチ、符号２はホルダ部、符号３はピンセット、符号４は電源コードであるが、電源をホルダ内にセットすること等により電源コードを省略することも可能である。
【００３１】
この図５から明らかなように、術者はホルダ部２を中指以下の３本の指で握り、人指し指と親指との２本の指でピンセットを操作し、中指以下の３本の指のいずれかで複合スイッチ１を押すことができる。したがって、本発明の電気メスにおいては、組織を挟むことと電源のオン・オフという２つの操作を、別個の系統の神経に支配される指で独立に扱えるから、処置の際の微妙な操作が可能であり、手術の精度を著しく向上させることができる。また複合スイッチ１は、使用する術者の手の大きさの個人差にも対応できる。
【００３２】
以上電気メスの例で説明したが、本発明の複合スイッチは、これ以外にも、微妙な操作を要するあらゆる電気器具に応用可能である。
【００３３】
なお、電気メス等の医療器具の場合、１回の使用毎に消毒を行うのが通例であるから、器具の材質や構造にはこれを考慮することが重要である。
【符号の説明】
【００３４】
１…複合スイッチ、  ２…ホルダ部、  ３…ピンセット、  ４…電源コード、  ５…電源部、  ６ａ，６ｂ…スイッチ、  １１…枠体、  １２…台板、  １３ａ，１３ｂ…押しボタンスイッチ、  １４…揺動部材、  １５…ばね部材、  １６…補助板、  １７…押し板、  ３１ａ，３１ｂ…電極、  １１１…開口、  １４１…突出部、  １４２…係止部、  １４３…突起部。
【図１】
2010187935.tif 000003
【図２】
2010187935.tif 000004
【図３】
2010187935.tif 000005
【図４】
2010187935.tif 000006
【図５】
2010187935.tif 000007
【図６】
2010187935.tif 000008